(57)【要約】【課題】ミキサ装置において、フェーダ等の基準位置合わせを迅速かつ正確に行う。【解決手段】ミキサ装置に供給される、ある音声信号のゲインが、ボリューム操作子１２２−１、フェーダ操作子１２４−１およびＤＣＡフェーダ操作子１２７−１によって決定されるものとする。スイッチ１２８−１を押下すると、ＤＣＡフェーダ操作子１２７−１の操作位置が基準位置（０ｄＢ）に自動的に設定され、音声信号のゲインを保つようにフェーダ操作子１２４−１の操作位置が自動設定される。また、スイッチ１２６−１を押下すると、フェーダ操作子１２４−１の操作位置が基準位置（０ｄＢ）に設定され、音声信号のゲインを保つようにボリューム操作子１２２−１の操作位置が自動設定される。【選択図】　図３
2004040347.tif 000002
【特許請求の範囲】
【請求項１】
所定の音声信号のゲイン調節のために設けられ、自動的に駆動可能な第１の音量設定操作子と、
前記第１の音量設定操作子に対応して設けられた位置設定操作子と、
自動的に駆動可能であって、前記第１の音量設定操作子の操作位置ととともに前記音声信号のゲインを決定するために設けられた第２の音量設定操作子と、
前記位置設定操作子が操作されると、前記第１の音量設定操作子の操作位置を所定の基準位置に設定するとともに、前記位置設定操作子の操作前におけるゲインを保持する位置に前記第２の音量設定操作子の操作位置を設定する制御手段と
を有することを特徴とする音量設定操作子の駆動装置。
【請求項２】
前記第２の音量設定操作子は、複数チャンネルの音声信号に応じて複数設けられ、
前記制御手段は、前記位置設定操作子の操作前における各音声信号のゲインを保持する位置に、前記複数の第２の音量設定操作子の操作位置を各々設定することを特徴とする請求項１記載の音量設定操作子の駆動装置。
【発明の詳細な説明】
【０００１】
【発明の属する技術分野】
本発明は、音声信号のミキサ装置に用いて好適な音量設定操作子の駆動装置に関する。
【０００２】
【従来の技術】
コンサート等で用いられるミキサ装置においては、複数の入力チャンネルの音声信号がミキシングされることによって最終的に必要な音声信号が得られる。そして、これら入力チャンネルの各音声信号のゲインは、ミキシングされる前に、複数段階に渡って調節される。例えば、ミキサ装置に入力された直後の音声信号は、ヘッダアンプによってゲイン調節が行われる。このゲイン調節のためには、ボリューム操作子が多用されている。次に、必要に応じて周波数特性のイコライジングが行われた後、フェーダアンプによるゲイン調節が行われる。このフェーダアンプのゲインは各入力チャンネル毎に設けられた入力フェーダによって設定される。
【０００３】
また、複数の入力チャンネルに対して、各入力フェーダとは別の共通のフェーダが割り当てられる場合がある。この共通のフェーダは、デジタルミキサにおいては、ＤＣＡ（Ｄｉｔｉｇａｌ　Ｃｏｎｔｒｏｌｌｅｄ　Ａｍｐｌｉｆｉｅｒ　または　Ｄｉｔｉｇａｌ　Ｃｏｎｔｒｏｌｌｅｄ　Ａｔｔｅｎｕａｔｏｒ　）フェーダと呼ばれる（アナログミキサの場合はＶＣＡ（Ｖｏｌｔａｇｅ　Ｃｏｎｔｒｏｌｌｅｄ　Ａｍｐｌｉｆｉｅｒ　または　Ｖｏｌｔａｇｅ　Ｃｏｎｔｒｏｌｌｅｄ　Ａｔｔｅｎｕａｔｏｒ）フェーダと呼ばれる）。ＤＣＡフェーダによって設定されたゲインは、各入力フェーダによって設定されたゲインに乗算され、これによって該複数の入力チャンネルのゲインが決定される。ＤＣＡフェーダは、ピアノ、ドラムなどの大型の楽器や、例えばオーケストラの一部のパートの集音と音量制御に用いられる。
【０００４】
ピアノ等、大型の楽器の演奏音は複数本のマイクを用いて集音することが一般的である。これら複数のマイクはバランス調節を行うために各々個別の入力チャンネルに割り当てられる。そして、これら入力チャンネルが一のＤＣＡフェーダに割り当てられる。そして、個々のマイクから集音された音声信号相互間のバランスは各入力フェーダによって調節され、楽器全体としての音量はＤＣＡフェーダによって調節されるのである。
【０００５】
【発明が解決しようとする課題】
ところで、入力フェーダおよびＤＣＡフェーダは、所定の基準位置（例えば「０ｄＢ」の目盛位置）において、ほぼ適切な音量が得られるように事前に調節されていることが望ましい。これにより、ある入力チャンネルをフェードインする時は、オペレータは単にフェーダを基準位置付近に動かせばよく、その後に実際の音量を聞きながらフェーダ位置を微調節すればよいからである。フェーダの基準位置における音量調節は例えばリハーサル時において行われる。しかし、ゲインを一定にしつつフェーダを基準位置に移動するためには、フェーダを動かすと同時にヘッダアンプ用のボリューム操作子または他のフェーダを動かす等の作業が必要であり、非常に煩雑であった。
この発明は上述した事情に鑑みてなされたものであり、フェーダ等の基準位置合わせを迅速かつ正確に行うことができる音量設定操作子の駆動装置を提供することを目的としている。
【０００６】
【課題を解決するための手段】
上記課題を解決するため本発明にあっては、下記構成を具備することを特徴とする。なお、括弧内は例示である。
請求項１記載の音量設定操作子の駆動装置にあっては、所定の音声信号のゲイン調節のために設けられ、自動的に駆動可能な第１の音量設定操作子（ＤＣＡフェーダ操作子１２７−１）と、前記第１の音量設定操作子に対応して設けられた位置設定操作子（ノミナル・アジャスト・スイッチ１２８−１）と、自動的に駆動可能であって、前記第１の音量設定操作子の操作位置ととともに前記音声信号のゲインを決定するために設けられた第２の音量設定操作子（フェーダ操作子１２４−１〜１２４−３）と、前記位置設定操作子が操作されると、前記第１の音量設定操作子の操作位置を所定の基準位置に設定するとともに、前記位置設定操作子の操作前におけるゲインを保持する位置に前記第２の音量設定操作子の操作位置を設定する制御手段（ＣＰＵ２）とを有することを特徴とする。
さらに、請求項２記載の構成にあっては、請求項１記載の音量設定操作子の駆動装置において、前記第２の音量設定操作子は、複数チャンネルの音声信号に応じて複数設けられ、前記制御手段は、前記位置設定操作子の操作前における各音声信号のゲインを保持する位置に、前記複数の第２の音量設定操作子の操作位置を各々設定することを特徴とする。
【０００７】
【発明の実施の形態】
１．実施形態の構成
次に、本発明の一実施形態のミキサ装置のハードウエア構成を図１を参照し説明する。
図において２はＣＰＵであり、ＲＯＭ６に記憶された制御プログラムに基づいて、バス７を介して各部を制御する。１０は入力部であり、マイク等から集音したアナログ音声信号をデジタル音声信号に変換するＡＤコンバータ等から構成されている。８はＤＳＰであり、入力部１０を介して供給されたデジタル音声信号のミキシング処理、イコライジング処理等を行う。なお、ＤＳＰ８におけるミキシングアルゴリズムは、ＣＰＵ２によって設定される。１２は出力ユニットであり、ＤＳＰ８から供給されたデジタル音声信号をアナログ音声信号に変換し出力する。
【０００８】
１００はミキシングコンソールであり、オペレータによって操作される操作子群１２０と、オペレータに対して各種情報を表示する表示器１１０とから構成されている。操作子群１２０内に設けられた各操作子の操作位置はデジタル的に検出され、ＣＰＵ２に伝送される。これにより、ＣＰＵ２によって、各操作子の状態に応じたアルゴリズムがＤＳＰ８に対して設定される。さらに、これら各操作子は何れもモータあるいはアクチュエータ等によって自動的に駆動可能になっており、ＣＰＵ２からの指令に応じてこれらの操作位置を自動的に設定することも可能である。
【０００９】
次に、ＤＳＰ８内において実行されるミキシングアルゴリズムの要部の構成を図２に示す。図においてＩＮ１〜ＩＮｎは各入力チャンネルにおける入力信号であり、上記入力部１０を介して供給される。３２−１〜３２−ｎはヘッダアンプ部であり、これら各入力信号ＩＮ１〜ＩＮｎを指定されたゲインで増幅する。３４−１〜３４−ｎはフェーダアンプ部であり、ヘッダアンプ部３２−１〜３２−ｎを介してゲイン調節された入力信号ＩＮ１〜ＩＮｎに対してさらにゲイン調節を行う。
【００１０】
３７−１〜３７−ｍは「ｍ」系統のＤＣＡゲイン調節部である。ＤＣＡゲイン調節部３７−ｐ（１≦ｐ≦ｋ）には、最大「ｋ」チャンネルの音声信号を共通のゲインで増幅するＤＣＡアンプ部３７−ｐ−１〜３７−ｐ−ｋが設けられている。３５はＤＣＡアサイナであり、各フェーダアンプ部３４−１〜３４−ｎから出力された任意の音声信号を任意のＤＣＡゲイン調節部３７−１〜３７−ｍにおける任意のチャンネルに割り当てる。これにより、何れのＤＣＡアンプ部にも割り当てられなかった入力チャンネルの音声信号はヘッダアンプ部およびフェーダアンプ部を介して合計２回ゲイン調節され、何れかのＤＣＡアンプ部に割り当てらた入力チャンネルの音声信号は合計３回ゲイン調節される。このようにゲイン調節された音声信号は後段のミキシングバス（図示せず）を介してミキシングされる。
【００１１】
次に、操作子群１２０の要部の外観図を図３に示す。図において１２２−１〜１２２−ｎはボリューム操作子であり、その操作位置によって対応するヘッダアンプ部３２−１〜３２−ｎのゲインが設定される。また、１２４−１〜１２４−ｎはフェーダ操作子であり、その操作位置によって対応するフェーダアンプ部３４−１〜３４−ｎのゲインが設定される。１２６−１〜１２６−ｎはノミナル・アジャスト・スイッチであり、対応するフェーダ操作子１２４−１〜１２４−ｎの操作位置を基準位置（０ｄＢ）に自動設定するために設けられている。
【００１２】
次に、１２７−１，１２７−２，……はＤＣＡフェーダ操作子であり、その操作位置によって対応するＤＣＡゲイン調節部３７−１〜３７−ｍにおける共通ゲインが設定される。１２８−１，１２８−２，……はＤＣＡ用のノミナル・アジャスト・スイッチであり、対応するＤＣＡフェーダ操作子１２７−１，１２７−２，……の操作位置を基準位置（０ｄＢ）に自動設定するために設けられている。
【００１３】
２．実施形態の動作
次に、本実施形態の動作を説明する。
まず、ＤＣＡ用のノミナル・アジャスト・スイッチ１２８−ｊ（１≦ｊ≦ｍ）の押下イベントが発生すると、図４（ａ）に示すイベント処理ルーチンが実行される。図において処理がステップＳＰ２に進むと、ＤＣＡフェーダ操作子１２７−ｊの操作位置の設定値ＤＣＡｊが取得される。次に、処理がステップＳＰ４に進むと、該設定値ＤＣＡｊが「０ｄＢ」以外の値であるか否かが確認される。ここで「ＮＯ」と判定されると、実質的な処理が行われないまま本ルーチンの処理が終了する。
【００１４】
一方、ステップＳＰ４において「ＹＥＳ」と判定されると、処理はステップＳＰ６に進み、ＤＣＡフェーダ操作子１２７−ｊにアサインされている全てのフェーダ操作子に対する操作位置の現在設定値に対して、上記確認された設定値ＤＣＡｊが加算されるとともに、ＤＣＡフェーダ操作子１２７−ｊの操作位置の設定値ＤＣＡｊ自体は「０ｄＢ」に設定される。以上により、本ルーチンの処理が終了する。ここで、図３を再び参照し、上記ルーチンの動作の具体例を説明しておく。
【００１５】
まず、フェーダ操作子のうち１２４−１〜１２４−３がＤＣＡフェーダ操作子１２７−１に割り当てられ、１２４−（ｎ−１），１２４−ｎがＤＣＡフェーダ操作子１２７−２に割り当てられているとする。ここで、フェーダ操作子１２４−１〜１２４−３の操作位置が各々「−５０ｄＢ」，「−３０ｄＢ」，「−６０ｄＢ」（図上では下側の一点鎖線）であってＤＣＡフェーダ操作子１２７−１の設定値が「−２０ｄＢ」であったとする（図上では一点鎖線）。
【００１６】
ここで、スイッチ１２８−１が押下されると、上記ステップＳＰ６によればフェーダ操作子１２４−１〜１２４−３の操作位置の設定値に各々「−２０ｄＢ」が加算されるから、これらの操作位置の設定値は各々「−７０ｄＢ」，「−５０ｄＢ」，「−８０ｄＢ」に変更される。さらに、これに伴って、ＤＣＡフェーダ操作子１２７−１の操作位置の設定値は「０ｄＢ」（図上では何れも実線）に変更される。そして、これらフェーダ操作子は、各操作位置が各設定値に一致するように自動的に駆動される。
【００１７】
同様に、フェーダ操作子のうち１２４−（ｎ−１），１２４−ｎの操作位置が各々「−５０ｄＢ」，「−２０ｄＢ」（図上では下側の一点鎖線）であってＤＣＡフェーダ操作子１２７−２の操作位置が「＋１０ｄＢ」であったとする。ここで、スイッチ１２８−２が押下されると、フェーダ操作子１２４−（ｎ−１），１２４−ｎの操作位置の設定値に各々「＋１０ｄＢ」が加算されるから、これらの設定値は各々「−４０ｄＢ」，「−１０ｄＢ」に自動的に変更される。さらに、これに伴って、ＤＣＡフェーダ操作子１２７−２の操作位置の設定値は「０ｄＢ」（図上では何れも実線）に変更される。そして、これらフェーダ操作子についても、各操作位置が各設定値に一致するように自動的に駆動される。
【００１８】
次に、入力チャンネル用のノミナル・アジャスト・スイッチ１２６−ｉ（１≦ｉ≦ｎ）の押下イベントが発生すると、図４（ｂ）に示すイベント処理ルーチンが実行される。図において処理がステップＳＰ２２に進むと、フェーダ操作子１２４−ｉの操作量の設定値ＩＮｉが取得される。次に、処理がステップＳＰ２４に進むと、該設定値ＩＮｉが「０ｄＢ」以外の値であるか否かが確認される。ここで「ＮＯ」と判定されると、実質的な処理が行われないまま本ルーチンの処理が終了する。
【００１９】
一方、ステップＳＰ２４において「ＹＥＳ」と判定されると、処理はステップＳＰ２６に進み、ボリューム操作子１２２−ｉの操作位置の現在の設定値に対して、上記確認された設定値ＩＮｉが加算されるとともに、設定値ＩＮｉ自体は「０ｄＢ」に設定される。以上により、本ルーチンの処理が終了する。ここで、図３を再び参照し、上記ルーチンの動作の具体例を説明しておく。
【００２０】
まず、フェーダ操作子１２４−１の設定値が「−７０ｄＢ」（実線）であって、ボリューム操作子１２２−１の設定値が「＋４０ｄＢ」であったとする。ここで、ノミナル・アジャスト・スイッチ１２６−１が押下されると、上記ステップＳＰ２６によればボリューム操作子１２２−１の設定値に「−７０ｄＢ」が加算されるから、この設定値は各々「−３０ｄＢ」に変更される。さらに、これに伴って、フェーダ操作子１２４−１は「０ｄＢ」（図上では上側の一点鎖線）に変更される。そして、これらボリューム操作子１２２−１およびノミナル・アジャスト・スイッチ１２６−１についても、各操作位置が各設定値に一致するように自動的に駆動される。
【００２１】
他のノミナル・アジャスト・スイッチ１２６−２〜１２６−ｎについても同様であり、これらを押下しておくことにより、各フェーダ操作子の設定値は基準位置「０ｄＢ」に揃えられ、それに応じて対応するボリューム操作子１２２−ｉの設定値が増減されることになる。以上のように本実施形態によれば、ノミナル・アジャスト・スイッチを単に押下することによって、対応するフェーダ操作子の設定位置を自動的に基準位置に設定することができる。
【００２２】
３．変形例
本発明は上述した実施形態に限定されるものではなく、例えば以下のように種々の変形が可能である。
（１）上記実施形態のステップＳＰ６においては、ノミナル・アジャスト・スイッチ１２８−ｊが押下されると、対応するＤＣＡフェーダ操作子１２７−ｊに割り当てられた入力チャンネルに係るフェーダ操作子１２４−１〜１２４−ｎの設定値が変更された。しかし、ステップＳＰ６においては、フェーダ操作子１２４−１〜１２４−ｎに代えて、ボリューム操作子１２２−１〜１２２−ｎの設定値を変更するようにしてもよい。
【００２３】
（２）また、上記実施形態においては、ミキシングアルゴリズムをＤＳＰ８において実行するデジタルミキサ装置に本発明を適用した例を説明したが、本発明はデジタルミキサ装置に限定されるものではない。すなわち、各ボリューム操作子およびフェーダ操作子が可変抵抗器に直結され該可変抵抗器によって音声信号のゲインが直接的に設定されるアナログミキサ装置においても、これらボリューム操作子およびフェーダ操作子を自動的に駆動することができれば本発明を適用することが可能である。
【００２４】
【発明の効果】
以上説明したように本発明によれば、位置設定操作子が操作されると、第１の音量設定操作子が自動的に基準位置に設定されるとともに、操作前のゲインを保持する位置に第２の音量設定操作子の操作位置が設定されるから、第１の音量設定操作子の基準位置合わせを迅速かつ正確に行うことができる。
【図面の簡単な説明】
【図１】本発明の一実施形態のミキサ装置のハードウエアブロック図である。
【図２】一実施形態のミキサ装置のミキシングアルゴリズムの要部のブロック図である。
【図３】操作子群１２０の要部の外観図である。
【図４】ＣＰＵ２において実行される制御プログラムのフローチャートである。
【符号の説明】
２…ＣＰＵ、６…ＲＯＭ、７…バス、８…ＤＳＰ、１０…入力部、１２…出力ユニット、３２−１〜３２−ｎ…ヘッダアンプ部、３４−１〜３４−ｎ…フェーダアンプ部、３５…ＤＣＡアサイナ、３７−１〜３７−ｍ…ＤＣＡゲイン調節部、３７−１−１〜３７−１−ｋ…ＤＣＡアンプ部、３７−ｐ−１〜３７−ｐ−ｋ…ＤＣＡアンプ部、１００…ミキシングコンソール、１１０…表示器、１２０…操作子群、１２２−１〜１２２−ｎ…ボリューム操作子、１２４−１〜１２４−ｎ…フェーダ操作子、１２６−１〜１２６−ｎ…ノミナル・アジャスト・スイッチ、１２７−１，１２７−２，………ＤＣＡフェーダ操作子、１２８−１，１２８−２，………ノミナル・アジャスト・スイッチ。
【図１】
2004040347.tif 000003
【図２】
2004040347.tif 000004
【図３】
2004040347.tif 000005
【図４】
2004040347.tif 000006